【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
ユーザプロフィール情報を提供する方法であって、
複数のユーザがネットワーク上でコンピュータゲームを介して互いにやりとりすることを可能にするオンラインゲームサービスのユーザの使用を通じてユーザプロフィール情報を受信すること、または前記オンラインゲームサービスを提供するサービス以外のサービスであって複数のユーザにゲーム関連情報を提供するサービスのユーザの使用を通じてユーザプロフィール情報を受信することと、
前記オンラインゲームサービスと前記ゲーム関連情報を提供するサービスとの両方から受信したユーザプロフィール情報を格納して同期させる中央データベースに、受信した前記ユーザプロフィール情報を格納することと、
格納された前記ユーザプロフィール情報から公開用に選択された情報を、他のユーザが、前記ユーザプロフィール情報が最初に取得されたサービス以外のサービスに接続して要求したときに、該選択された情報を少なくとももう一人のユーザに提供することであって、前記選択された情報が、前記オンラインゲームサービスのユーザの使用を通じて受信された情報であるときは前記ゲーム関連情報を提供するサービスを通じて該情報を見ることができ、前記ゲーム関連情報を提供するサービスのユーザの使用を通じて受信された情報であるときは前記オンラインゲームサービスを通じて該情報を見ることができる、該提供することと
を含むことを特徴とする方法。
【請求項２】
格納された前記ユーザプロフィール情報から公開用に選択された情報を提供することは、
前記ユーザプロフィール情報が最初に取得されたサービス以外の前記サービスが、前記中央データベースと通信可能に接続されたサーバから、公開用に前記選択された情報を取得すること
を含むことを特徴とする請求項１に記載の方法。
【請求項３】
前記オンラインゲームサービスを提供するサービス以外のサービスであって複数のユーザにゲーム関連情報を提供する前記サービスは、ゲーム関連のウェブサイトであることを特徴とする請求項１に記載の方法。
【請求項４】
前記選択された情報は、前記ユーザプロフィール情報のサブセットであることを特徴とする請求項１に記載の方法。
【請求項５】
公開用に選択された情報を提供することは、
前記選択された情報を、前記ユーザの携帯装置で表示できるように前記他のユーザの携帯装置に提供すること
を含むことを特徴とする請求項１に記載の方法。
【請求項６】
前記ユーザおよび前記他のユーザのウェブサイトで表示するのに適した方法でフォーマットされた前記選択された情報を、前記ユーザおよび前記他のユーザに提供することをさらに含むことを特徴とする請求項１に記載の方法。
【請求項７】
公開用に前記選択された情報は、前記ユーザに関連付けられたゲーマータグ、前記ユーザに関連付けられた画像、複数の異なるゲームにおける前記ユーザのパフォーマンスを反映した統計情報、他の複数のユーザからのフィードバックから収集された前記ユーザの評価、およびゲームのプレイに関する前記ユーザのスタイルおよび設定を表すユーザ選択ゾーンを含むことを特徴とする請求項１に記載の方法。
【請求項８】
ユーザプロフィール情報を提供する方法を実行するための命令を記録したコンピュータ読み取り可能な記録媒体であって、前記方法は、
複数のユーザがネットワーク上でコンピュータゲームを介して互いにやりとりすることを可能にするオンラインゲームサービスのユーザの使用を通じてユーザプロフィール情報を受信すること、または前記オンラインゲームサービスを提供するサービス以外のサービスであって複数のユーザにゲーム関連情報を提供するサービスのユーザの使用を通じてユーザプロフィール情報を受信することと、
前記オンラインゲームサービスと前記ゲーム関連情報を提供するサービスの両方から受信したユーザプロフィール情報を格納して同期させる中央データベースに、受信した前記ユーザプロフィール情報を格納することと、
格納された前記ユーザプロフィール情報から公開用に選択された情報を、他のユーザが、前記ユーザプロフィール情報が最初に取得されたサービス以外のサービスに接続して要求したときに、該選択された情報を少なくとももう一人のユーザに提供することであって、前記選択された情報が、前記オンラインゲームサービスのユーザの使用を通じて受信された情報であるときは前記ゲーム関連情報を提供するサービスを通じて該情報を見ることができ、前記ゲーム関連情報を提供するサービスのユーザの使用を通じて受信された情報であるときは前記オンラインゲームサービスを通じて該情報を見ることができる、該提供することと
を含むことを特徴とするコンピュータ読み取り可能な記録媒体。
【請求項９】
格納された前記ユーザプロフィール情報から公開用に選択された情報を提供することは、
前記ユーザプロフィール情報が最初に取得されたサービス以外の前記サービスが、前記中央データベースと通信可能に接続されたサーバから、公開用に前記選択された情報を取得すること
を含むことを特徴とする請求項８に記載のコンピュータ読み取り可能な記録媒体。
【請求項１０】
公開用に選択された情報を提供することは、
前記選択された情報を、前記ユーザの携帯装置で表示できるように前記他のユーザの携帯装置に提供すること
を含むことを特徴とする請求項８に記載のコンピュータ読み取り可能な記録媒体。
【請求項１１】
前記方法は、前記ユーザおよび前記他のユーザのウェブサイトで表示するのに適した方法でフォーマットされた前記選択された情報を、前記ユーザおよび前記他のユーザに提供することをさらに含むことを特徴とする請求項８に記載のコンピュータ読み取り可能な記録媒体。
【請求項１２】
ユーザプロフィール情報を提供するためのシステムであって、
複数のユーザがネットワーク上でコンピュータゲームを介して互いにやりとりすることを可能にするオンラインゲームサービスのユーザの使用を通じてユーザプロフィール情報を受信するため、または前記オンラインゲームサービスを提供するサービス以外のサービスであって複数のユーザにゲーム関連情報を提供するサービスのユーザの使用を通じてユーザプロフィール情報を受信するための手段と、
前記オンラインゲームサービスと前記ゲーム関連情報を提供するサービスの両方から受信したユーザプロフィール情報を格納して同期させる中央データベースに、受信した前記ユーザプロフィール情報を格納するための手段と、
格納された前記ユーザプロフィール情報から公開用に選択された情報を、他のユーザが、前記ユーザプロフィール情報が最初に取得されたサービス以外のサービスに接続して要求したときに、該選択された情報を少なくとももう一人のユーザに提供するための手段であって、前記選択された情報が、前記オンラインゲームサービスのユーザの使用を通じて受信された情報であるときは前記ゲーム関連情報を提供するサービスを通じて該情報を見ることができ、前記ゲーム関連情報を提供するサービスのユーザの使用を通じて受信された情報であるときは前記オンラインゲームサービスを通じて該情報を見ることができる、該提供するための手段と
を備えたことを特徴とするシステム。
【請求項１３】
格納された前記ユーザプロフィール情報から公開用に選択された情報を提供するための手段は、
前記ユーザプロフィール情報が最初に取得されたサービス以外の前記サービスが、前記中央データベースと通信可能に接続されたサーバから、公開用に前記選択された情報を取得するための手段
を備えることを特徴とする請求項１２に記載のシステム。
【請求項１４】
公開用に選択された情報を提供するための手段は、
前記選択された情報を、前記ユーザの携帯装置で表示できるように前記少なくとももう一人のユーザの携帯装置に提供する手段
を備えることを特徴とする請求項１２に記載のシステム。
【請求項１５】
前記ユーザおよび前記他のユーザのウェブサイトで表示するのに適した方法でフォーマットされた前記選択された情報を、前記ユーザおよび前記他のユーザに提供するための手段をさらに備えたことを特徴とする請求項１２に記載のシステム。